(57)【要約】【課題】電気エネルギーを要しないで、湿気を流出入させることなく室外気温を利用することが可能な構造体及び複合構造体を提供する。【解決手段】窓体１は、両者間で挟まれる空間を形成する２枚の板材１０と、２枚の板材１０の間に封入された液体ＨＦと、２枚の板材１０のうちの一方の板材１０ａ側に作動液ＨＦの貯留部Ｒｅｓを形成し、一方の板材１０ａ側の熱によって蒸発した貯留部Ｒｅｓ内の作動液ＨＦが他方の板材１０ｂ側に到達し、他方の板材１０ｂ側において凝縮した作動液ＨＦを再度貯留部Ｒｅｓに戻す液体循環構造とされたスロープ３０と、を備える。【選択図】図１
2019112886.tif 000002
【特許請求の範囲】
【請求項１】
両者間で挟まれる空間を形成する２枚の板材と、
前記２枚の板材の間に封入された液体と、
前記２枚の板材のうちの一方の板材側に前記液体の貯留部を形成し、前記一方の板材側の熱によって蒸発した前記貯留部内の液体が他方の板材側に到達し、他方の板材側において凝縮した液体を再度前記貯留部に戻す液体循環構造とされたスロープと、
を備えることを特徴とする構造体。
【請求項２】
前記２枚の板材、前記液体、及び、前記スロープが透明性の材料で構成されている
ことを特徴とする請求項１に記載の構造体。
【請求項３】
前記他方の板材に対して霧状に水分を噴霧する噴霧手段をさらに備える
ことを特徴とする請求項１又は請求項２のいずれかに記載の構造体。
【請求項４】
前記一方の板材と前記他方の板材との上下位置を維持しながら相対位置を入れ替える反転動作可能な反転機構を備える
ことを特徴とする請求項１から請求項３のいずれか１項に記載の構造体。
【請求項５】
１又は複数の請求項１から請求項３のいずれか１項に記載の構造体と、
特定温度範囲に融点及び凝固点を有する潜熱蓄熱材を保持した保持板材と、を備え、
前記構造体は、前記保持板材に対して積層配置されている
ことを特徴とする複合構造体。
【請求項６】
向かい合って配置される複数の前記構造体のうち、積層方向の一方側のものと他方側のものとの相対位置を入れ替える左右反転及び上下反転の少なくとも一方の反転動作可能な反転機構を備える
ことを特徴とする請求項５に記載の複合構造体。
【請求項７】
前記スロープは、前記２枚の板材のうちの一方の板材側に前記液体の貯留部を形成し、前記一方の板材側の熱によって蒸発した前記貯留部内の液体が他方の板材側に到達し、他方の板材側において凝縮した液体を再度前記貯留部に戻す第１状態と、前記２枚の板材のうちの他方の板材側に前記液体の貯留部を形成し、前記他方の板材側の熱によって蒸発した前記貯留部内の液体が一方の板材側に到達し、一方の板材側において凝縮した液体を再度前記貯留部に戻す第２状態と、前記２枚の板材のうちの中央側で貯留部を形成して前記貯留部内の液体が蒸発しない中立状態との３つの状態のうち少なくとも２つで切替可能とされている
ことを特徴とする請求項１から請求項３のいずれか１項に記載の構造体。
【請求項８】
周囲温度に応じて伸縮可能な形状記憶バネと、前記形状記憶バネに連結されると共に前記スロープに取り付けられたコード部材とを備え、
前記周囲温度の変化に応じた前記形状記憶バネの伸縮によって前記コード部材が動作して、前記スロープが前記少なくとも２つで切り替えられる
ことを特徴とする請求項７に記載の構造体。
【請求項９】
１又は複数の請求項７又は請求項８のいずれかに記載の構造体と、
特定温度範囲に融点及び凝固点を有する潜熱蓄熱材を保持した保持板材と、を備え、
前記構造体は、前記保持板材に対して積層配置されている
ことを特徴とする複合構造体。
【請求項１０】
前記スロープに取り付けられる磁性素材をさらに備え、
前記スロープは、少なくとも前記第１状態と前記第２状態とで切替可能であり、
前記潜熱蓄熱材は、磁性を有して分散する成分を有し、
前記磁性素材は、前記第１状態と前記第２状態とのいずれか一方において前記潜熱蓄熱材に近接して前記潜熱蓄熱材の前記成分を吸着し、前記第１状態と前記第２状態とのいずれか他方において前記潜熱蓄熱材から離間して前記成分を吸着させず前記潜熱蓄熱材内で分散させる
ことを特徴とする請求項９に記載の複合構造体。
【発明の詳細な説明】
【技術分野】
【０００１】
本発明は、構造体及び複合構造体に関する。
【背景技術】
【０００２】
従来、室内における空調効率を求めて建物の高気密化や高断熱化が進んでいる。また、このような建物の高気密化や高断熱化のために、真空ペアガラスと呼ばれるものが開発されている。この真空ペアガラスは、複数層のガラスの間を１／１０００気圧程度の真空状態として真空断熱した窓ガラスとなっている。
【０００３】
このような真空ペアガラスは、概念自体が古いものの長時間使える真空封止技術が近年ようやく開発され各社により商品化されつつある。これらの真空ペアガラスは、高い断熱性を示し空調需要の低下に寄与している。
【０００４】
しかし、実際の環境下においては、室温よりも外気温の方が快適であることもあり、そのような場合、真空ペアガラスはむしろ空調需要が増加するものとなってしまう。このため、室内に外気を導入する外気冷房や新風装置等と呼ばれる技術が必要となってきている。
【０００５】
ところが、例えば夏季に外気温が室温よりも低い場合に外気を導入すると湿気も取り込んでしまうことから、結果として潜熱を含めた空調需要はなかなか下がらなくなってしまう。
【０００６】
このような問題に対して、減圧された二重ガラスの間に作動液と作動液を加熱又は冷却する作動液加熱部や作動液冷却部とを備える窓が提案されている（特許文献１参照）。この窓によれば、二重ガラスの間が減圧されているため高い断熱性を示すと共に、二重ガラスの間の作動液を加熱又は冷却することで湿気を流出入させることなく室内を快適化することができる。
【先行技術文献】
【特許文献】
【０００７】
【特許文献１】特開２００６−３３６２３３号公報
【発明の概要】
【発明が解決しようとする課題】
【０００８】
しかし、特許文献１に記載の窓は、作動液を加熱又は冷却する必要があるため、電気エネルギーを要することになってしまい、室内のエアコンを動作させているのと変わりなくなってしまう。よって、電気エネルギーを要しないで、湿気を流出入させることなく室外気温を利用することができる真空ペアガラスが求められる。
【０００９】
なお、この問題は、真空ペアガラスに限るものではない。すなわち、外壁材等においても、電気エネルギーを要しないで、湿気を流出入させることなく室外気温を利用することができれば、非常に好ましいためである。
【００１０】
本発明は、このような問題を解決するためになされたものであり、その目的とするところは、電気エネルギーを要しないで、湿気を流出入させることなく室外気温を利用することが可能な構造体及び複合構造体を提供することにある。
【課題を解決するための手段】
【００１１】
本発明に係る構造体は、２枚の板材と、液体と、スロープとによって構成されており、２枚の板材で挟まれる空間に、液体が封入されると共に、スロープが設置される。スロープは、２枚の板材のうちの一方の板材側に液体の貯留部を形成する。また、スロープは、一方の板材側の熱によって蒸発した貯留部内の液体が他方の板材に到達し、他方の板材において凝縮した液体を再度貯留部に戻す液体循環構造とされている。
【発明の効果】
【００１２】
本発明によれば、一方の板材側の熱によって蒸発した貯留部内の液体が他方の板材側に到達し、他方の板材側において凝縮した液体を再度貯留部に戻す液体循環構造とされたスロープを備える。このため、一方の板材側からの熱によって液体が蒸発する環境下においては、一方の板材側は蒸発熱が奪われて冷却化される。これに対して、蒸発した液体は他方の板材側に到達すると冷却されて凝縮液化し、他方の板材側からは凝縮熱が破棄されることとなる。よって、結果として一方の板材側の熱が他方の板材側へ貫流することとなる。これにより、例えば夏場では室内側が一方の板材となることで、湿気を取り込むことなく室内を快適化することができる。しかも、凝縮液化した液体はスロープによって貯留部に戻ることから、電気エネルギーを要することなく、上記の熱貫流を継続的に行うことができる。従って、電気エネルギーを要しないで、湿気を流出入させることなく室外気温を利用することができる。
【図面の簡単な説明】
【００１３】
【図１】本発明の第１実施形態に係る構造体を示す断面図である。
【図２】図１に示したスロープの詳細を示す斜視図である。
【図３】本実施形態に係る窓体を示す斜視図である。
【図４】変形例に係る反転構造を示す斜視図である。
【図５】第２実施形態に係る窓体を示す断面図である。
【図６】第２変形例に係る反転構造を示す斜視図である。
【図７】第３変形例に係る反転構造を示す斜視図である。
【図８】第３実施形態に係る窓体を示す構成図である。
【図９】第４実施形態に係る窓体を示す構成図である。
【図１０】図９に示した動作機構による動作の様子を示す動作図であって、（ａ）は中立状態を示し、（ｂ）は第２状態を示している。
【図１１】第５実施形態に係る窓体を示す構成図である。
【図１２】図１１に示した動作機構による動作の様子を示す動作図であって、スロープが第２状態となる場合を示している。
【図１３】第６実施形態に係る窓体の一部を示す構成図であり、（ａ）はスロープの中立状態を示し、（ｂ）はスロープの第１状態を示している。
【発明を実施するための形態】
【００１４】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１５】
図１は、本発明の第１実施形態に係る構造体を示す断面図である。なお、図１では、窓として利用可能な窓体を構造体の一例として説明するが、構造体は窓体に限らず、外壁材等の他の部材に適用されてもよい。
【００１６】
図１に示す例に係る窓体１は、概略的に２枚の板材１０と、真空封止部材２０と、スロープ３０と、作動液（液体）ＨＦとを備えている。
【００１７】
２枚の板材１０は、互いに略平行配置される透明性の板材である。これらの板材１０は例えばガラス材によって構成されている。
【００１８】
真空封止部材２０は、２枚の板材１０の周端部において２枚の板材１０の間に介在するものである。２枚の板材１０の周端部に真空封止部材２０が設けられることによって、２枚の板材１０と真空封止部材２０とによって閉じられた内部空間が形成される。本実施形態において内部空間は断熱性の観点から真空状態とされるが、これに限らず、所定の気体で満たされていてもよい。
【００１９】
スロープ３０は、２枚の板材１０の間に介在する透明性の部材であり、図１に示す断面視状態において２回９０度に折られて断面略Ｎ字状の屈曲体となっている。このスロープ３０は、一方の端部３０ａが一方の板材１０ａの内壁に接しており、他方の端部３０ｂが他方の板材１０ｂの内壁に接して設けられている。このようなスロープ３０は、一端側において、一方の板材１０ａと共に作動液ＨＦを貯留可能な貯留部Ｒｅｓを構成している。
【００２０】
図２は、図１に示したスロープ３０の詳細を示す斜視図である。図２に示すように、スロープ３０は、下板３１と、この下板３１と平行配置される上板３２と、これらを接続する接続板３３とから構成されている。
【００２１】
下板３１は、上記した端部３０ａを有すると共に、端部３０ａの反対側が櫛歯状に突出する櫛歯部３１ａとなっている。櫛歯部３１ａの各端面ＥＦは他方の板材１０ｂの内壁に接する部位となる。上板３２は、接続板３３を挟んで下板３１と点対称構造となっている。すなわち、上板３２は、端部３０ｂの反対側が櫛歯状に突出する櫛歯部３２ａとなっており、櫛歯部３２ａの各端面ＥＦが一方の板材１０ａの内壁に接する部位となる。このように、スロープ３０は、下板３１の両端部（端部３０ａ及び端面ＥＦ）、並びに、上板３２の両端部（端部３０ｂ及び端面ＥＦ）が２枚の板材１０にそれぞれ接する。これにより、スロープ３０は、真空状態とされる２枚の板材１０をその内側から支えることとなる。
【００２２】
再度図１を参照する。本実施形態において作動液ＨＦは水等の透明性の液体である。なお、作動液ＨＦは水に限られるものではない。このような作動液ＨＦは、貯留部Ｒｅｓに貯留されている。貯留部Ｒｅｓの作動液ＨＦは、一方の板材１０ａからの熱によって蒸発可能となっている。蒸発した作動液ＨＦは、蒸気となって他方の板材１０ｂに至る。蒸気となった作動液ＨＦは、他方の板材１０ｂにおいて凝縮液化する。液化した作動液ＨＦは、他方の板材１０ｂの内面を流下していき、スロープ３０の上板３２（図２参照）上に溜まる。一定量以上の作動液ＨＦが上板３２上に溜まると、作動液ＨＦは、上板３２の櫛歯部３２ａの隙間から貯留部Ｒｅｓに落下する。
【００２３】
具体的に説明すると、室温が２０℃であり、外気温が２５℃である場合、貯留部Ｒｅｓに溜まっている水（作動液ＨＦ）の蒸気圧は２．４ｋＰａ程度であり、内部空間が２．５／１００気圧程度の真空状態となった断熱ガラスとして機能している。この状態から室温が３０℃まで上昇すると、水の蒸発が進み４．３ｋＰａまで内部空間の圧力が上がろうとするが、蒸発した水（水蒸気）は室外側の他方の板材１０ｂに触れると冷却されて液化し、他方の板材１０ｂの内面を流下する。流下した水は、スロープ３０の上板３２を経て貯留部Ｒｅｓに戻る。
【００２４】
このように、作動液ＨＦは、貯留部Ｒｅｓから他方の板材１０ｂを経て再度貯留部Ｒｅｓに戻るようになっており、スロープ３０は、このような作動液ＨＦの循環を可能とする液体循環構造となっている。さらに、一方の板材１０ａは、作動液ＨＦが蒸発することから蒸発器として機能し、他方の板材１０ｂは、作動液ＨＦが凝縮することから凝縮器として機能する。よって、一方の板材１０ａ側は蒸発熱が奪われて冷却化され、他方の板材１０ｂ側からは凝縮熱が破棄されることとなる。結果として一方の板材１０ａ側の熱が他方の板材１０ｂ側へ貫流することとなり、例えば夏場では室内側が一方の板材１０ａとなることで、湿気を取り込むことなく室内を快適化することができる。なお、夏場において室温が低いような場合には、作動液ＨＦは蒸発することなく、断熱ガラスとして機能させることができる。
【００２５】
ここで、本実施形態においてスロープ３０は、一方の板材１０ａと共に貯留部Ｒｅｓを形成しているが、一方の板材１０ａの内面に伝熱部材が貼り付けられており、伝熱部材と共に貯留部Ｒｅｓを形成するようになっていてもよい。すなわち、スロープ３０は、他の部材と共に一方の板材１０ａ側に貯留部Ｒｅｓを形成するものであってもよい。さらに、本実施形態において作動液ＨＦは、他方の板材１０ｂに到達して凝縮液化しているが、これに限らず、他方の板材１０ｂの内面に伝熱部材が貼り付けられており、伝熱部材に到達して凝縮液化するようになっていてもよい。
【００２６】
加えて、スロープ３０は、作動液ＨＦを循環させる液体循環構造であれば、図２に示したような構造に限られるものではなく、例えば単なる傾斜構造（端部３０ａから端部３０ｂに向かって傾斜する傾斜構造）であってもよい。
【００２７】
また、一方の板材１０ａは、蒸発能力向上のため熱吸収ガラス（ガラス組成物の中に鉄分等の金属を含むガラス）であってもよい。さらに、２枚の板材１０は、断熱時の断熱性向上のために、少なくとも一方の内面に赤外線反射処理が施されていてもよい。
【００２８】
図３は、本実施形態に係る窓体１を示す斜視図である。図３に示すように、窓体１は図１に示した構成に加えて、ピボット（反転機構）４０を備えている。ピボット４０は矩形の窓枠ＷＦの上下部材ＷＦ１の中央部にそれぞれ回転自在に設けられている。また、ピボット４０は、２枚の板材１０、真空封止部材２０、及びスロープ３０を有する積層体Ｌの上下辺の中央に接続されている。このため、積層体Ｌは、ピボット４０を中心に反転可能となっており、反転時においては積層体Ｌの上下位置を維持したまま一方の板材１０ａと他方の板材１０ｂとの相対位置を入れ替える左右反転（水平反転）ができるようになっている。
【００２９】
積層体Ｌは、反転された後に所定のロック手段によって窓枠ＷＦにロックされる。これにより、熱貫流方向を反転させた窓体１を得ることができる。すなわち、積層体Ｌを反転可能とすることで、室内の冷却と加温とを入れ替えることができる。
【００３０】
なお、積層体Ｌを反転させる構成は図３に示すものに限られない。図４は、変形例に係る反転構造を示す斜視図である。図４に示すように、変形例に係る窓体１は、左右に移動可能なピボット４０に加えて、室外側に更に固定ガラスＦＧを備えており、固定ガラスＦＧに積層体Ｌが接触することなく反転動作可能となっている。
【００３１】
変形例においてピボット４０は、積層体Ｌの左右いずれかの端部ＬＴ１に設けられると共に、ピボット４０は窓枠ＷＦの上下部材ＷＦ１に対してスライド可能となっている。このため、以下のようにして反転動作を行うことができる。まず、窓枠ＷＦの左右部材ＷＦ２ａ，ＷＦ２ｂのうち一方の部材ＷＦ２ａ側に、積層体Ｌのピボット４０側の端部ＬＴ１が位置しているとする。この状態から積層体Ｌを反転させる場合には、積層体Ｌのうちピボット４０が設けられてない側の端部ＬＴ２を室内側に引き出す。次いで、積層体Ｌのピボット４０側の端部ＬＴ１を、窓枠ＷＦの他方の部材ＷＦ２ｂ側にスライドさせる。その後、積層体Ｌの端部ＬＴ２が一方の部材ＷＦ２ａ側となるように積層体Ｌを窓枠ＷＦに嵌め込み所定のロック手段でロックする。
【００３２】
以上のように、室外側に固定ガラスＦＧを有する窓体１であっても、熱貫流方向を反転させることができ、室内の冷却と加温とを入れ替えることができる。
【００３３】
次に、本実施形態に係る窓体１の動作を説明する。まず、図１に示すように、一方の板材１０ａが室内側となり、他方の板材１０ｂが室外側になっているものとする。この場合において、例えば室温が２０℃であり、外気温が２５℃であるとすると、貯留部Ｒｅｓの作動液ＨＦは蒸発することがない。ところが、２枚の板材１０の内部空間が真空状態となっていることから、断熱効果を発揮することとなり、窓体１は断熱ガラスとして機能する。
【００３４】
これに対して、例えば室温が３０℃であり、外気温が２５℃になると、貯留部Ｒｅｓの作動液ＨＦが蒸発する。蒸発した作動液ＨＦは室外側の他方の板材１０ｂに到達して冷却されて液化し、他方の板材１０ｂの内面を流下する。流下した作動液ＨＦはスロープ３０の上板３２を介して再度貯留部Ｒｅｓに戻る。この過程において、一方の板材１０ａは作動液ＨＦの蒸発による蒸発熱によって冷却し、他方の板材１０ｂからは作動液ＨＦの凝縮熱が破棄される。よって、室内側の熱を室外に貫流させることとなり、室内を冷却する冷房効果を得ることができる。
【００３５】
さらに、図３又は図４に示すようなピボット４０を利用して、一方の板材１０ａと他方の板材１０ｂとの上下位置を維持したまま相対位置を入れ替えた場合には、上記と動作が逆になる。
【００３６】
すなわち、冬場等において外気温が所定温度以上に高くなると、貯留部Ｒｅｓの作動液ＨＦが蒸発する。これにより、上記と同様にして、室外側となる一方の板材１０ａは作動液ＨＦの蒸発による蒸発熱によって冷却し、室内側となる他方の板材１０ｂからは作動液ＨＦの凝縮熱が破棄される。よって、室外側の熱を室内に貫流させることとなり、室内を暖房する暖房効果を得ることができ、この時室内の湿気を室外に逃がすことがない。
【００３７】
なお、冬場等において貯留部Ｒｅｓの作動液ＨＦが蒸発しない環境下において窓体１は、上記と同様に断熱ガラスとして機能する。
【００３８】
このようして、第１実施形態に係る窓体１によれば、一方の板材１０ａ側の熱によって蒸発した貯留部Ｒｅｓ内の作動液ＨＦが他方の板材１０ｂ側に到達し、他方の板材１０ｂ側において凝縮した作動液ＨＦを再度貯留部Ｒｅｓに戻す液体循環構造とされたスロープ３０を備える。このため、一方の板材１０ａ側からの熱によって作動液ＨＦが蒸発する環境下においては、一方の板材１０ａ側は蒸発熱が奪われて冷却化される。これに対して、蒸発した作動液ＨＦは他方の板材１０ｂ側に到達すると冷却されて凝縮液化し、他方の板材１０ｂ側からは凝縮熱が破棄されることとなる。よって、結果として一方の板材１０ａ側の熱が他方の板材１０ｂ側へ貫流することとなる。これにより、例えば夏場では室内側が一方の板材１０ａとなることで、湿気を取り込むことなく室内を快適化することができる。しかも、凝縮液化した作動液ＨＦはスロープ３０によって貯留部Ｒｅｓに戻ることから、電気エネルギーを要することなく、上記の熱貫流を継続的に行うことができる。従って、電気エネルギーを要しないで、湿気を流出入させることなく室外気温を利用することができる。
【００３９】
また、２枚の板材１０、作動液ＨＦ、及び、スロープ３０が透明性の材料で構成されているため、窓として適用可能とすることができる。
【００４０】
また、一方の板材１０ａと他方の板材１０ｂとの上下位置を維持しながら相対位置を入れ替える左右方向への反転動作可能なピボット４０を備えるため、夏場と冬場や昼間と夜間など、熱貫流させる方向を変えたいときに、一方の板材１０ａと他方の板材１０ｂとの相対位置を入れ替えて、冷暖房を選択することができる。
【００４１】
次に、本発明に係る第２実施形態を説明する。第２実施形態に係る窓体は第１実施形態のものと同様であるが、一部構成が異なっている。以下、第１実施形態との相違点について説明する。
【００４２】
図５は、第２実施形態に係る窓体を示す断面図である。図５に示す窓体（複合構造体）２は、図１に示した窓体１からなる積層体Ｌを２つ（複数の一例）備えている。これらの２つの積層体Ｌは、空間を有した状態で互いに向かい合って配置されている。
【００４３】
さらに、本実施形態においては、２つの積層体Ｌの間に封止部材５０を備えると共に、２つの積層体Ｌと封止部材５０とで挟まれる空間に、透明性の潜熱蓄熱材６０を備えている。潜熱蓄熱材６０は、例えば硫酸ナトリウムと水との混合物によって構成されており、２つの積層体Ｌの間に挟持される目の字断面材（保持板材）８０の空隙部分に封入されて保持されている。目の字断面材８０は、上下方向にセルとなる空隙部分が配列された板材である。なお、目の字断面材８０に代えて、セルとなる空隙部分がハニカム状に上下左右に配列されたハニカム断面材が採用されてもよい。すなわち、潜熱蓄熱材６０を保持できれば、上記に限られるものではない。また、本実施形態において潜熱蓄熱材６０は、例えば２１℃に融点及び凝固点を有する。
【００４４】
なお、潜熱蓄熱材６０は硫酸ナトリウムと水との混合物に限らず、他のものであってもよい。さらに、潜熱蓄熱材６０の融点及び凝固点は２１℃に限らず他の温度であってもよい。加えて、潜熱蓄熱材６０には、融点及び凝固点が異なる物質が用いられてもよい。すなわち、潜熱蓄熱材６０は、窓体２が用いられる環境に応じた特定温度範囲に融点及び凝固点を有するものであればよい。さらに、本実施形態において、一方の積層体Ｌ１の一方の板材１０ａと、他方の積層体Ｌ２の他方の板材１０ｂとが向かい合うように配置されている。
【００４５】
このような窓体２において、他方の積層体Ｌ２の一方の板材１０ａは、例えば２１℃以上の温度で作動液ＨＦが蒸発し、他方の板材１０ｂ側から凝縮熱が破棄される。この熱は潜熱蓄熱材６０によって蓄熱される。さらに、一方の積層体Ｌ１の他方の板材１０ｂ側が２１℃未満の温度となると、潜熱蓄熱材６０に蓄熱される熱により、一方の積層体Ｌ１側の貯留部Ｒｅｓにおいて作動液ＨＦが蒸発し、他方の板材１０ｂ側から凝縮熱が破棄される。結果として他方の積層体Ｌ２側の熱がバッファとなる潜熱蓄熱材６０を介して一方の積層体Ｌ１側へ貫流することとなる。これにより、例えば夏場では室内側が他方の積層体Ｌ２となることで、湿気を取り込むことなく冷房効果により室内を快適化することができる。
【００４６】
特に、第２実施形態に係る窓体２は、外気温の方が高くても室温が例えば２１℃以上であれば、潜熱蓄熱材６０を利用して冷房効果を得ることができる。すなわち、潜熱蓄熱材６０は２１℃で固定化されていることから、室温が２１℃以上であれば、室内の熱を潜熱蓄熱材６０に移送でき、室内において冷房効果を得ることができる。潜熱蓄熱材６０に蓄えられた熱は、例えば夜間などの外気温が２１℃以下となる場合に破棄されることとなる。よって、窓体２は、潜熱蓄熱材６０をバッファとして備えることにより、室内の快適化を行う頻度を高めることができるようになっている。
【００４７】
加えて、第２実施形態に係る窓体２は、図３及び図４に示すようなピボット４０を備えて、上下位置を維持したまま一方の積層体Ｌ１と他方の積層体Ｌ２との相対位置を入れ替える左右方向への反転動作が可能となっている。
【００４８】
さらに、第２実施形態に係る窓体２は、図６及び図７に示すような反転動作も可能となっている。図６は、第２変形例に係る反転構造を示す斜視図である。図６に示すように、ピボット４０は矩形の窓枠ＷＦの左右部材ＷＦ２の中央部にそれぞれ回転自在に設けられている。また、ピボット４０は、２つの積層体Ｌと潜熱蓄熱材６０とを有する複合積層体ＣＬの左右辺の中央に接続されている。このため、複合積層体ＣＬは、ピボット４０を中心に上下反転可能となっており、反転時においては複合積層体ＣＬの左右位置を維持したまま一方の板材１０ａと他方の板材１０ｂとの相対位置を入れ替える上下反転を行うことができる。
【００４９】
なお、図２にも示したように、スロープ３０は下板３１と上板３２との形状が接続板３３を挟んで点対称構造となっていることから、複合積層体ＣＬが上下反転させられた場合においても、スロープ３０は貯留部Ｒｅｓを形成する。すなわち、上下反転させられた場合、上板３２と他方の板材１０ｂとによって貯留部Ｒｅｓが形成されることとなる。
【００５０】
図７は、第３変形例に係る反転構造を示す斜視図である。図７に示すように、第３変形例に係る窓体２は、ピボット４０に加えて、室外側に更に固定ガラスＦＧを備えており、固定ガラスＦＧに積層体Ｌが接触することなく反転動作可能となっている。
【００５１】
第３変形例において窓枠ＷＦは、固定的に配置される第１窓枠１ＷＦと、第１窓枠１ＷＦに対して扉状に開閉可能な第２窓枠２ＷＦとを有している。ピボット４０は、矩形の第２窓枠２ＷＦの左右部材２ＷＦ２の中央部にそれぞれ回転自在に設けられている。このため、以下のようにして反転動作を行うことができる。まず、第１窓枠１ＷＦから第２窓枠２ＷＦが開くように回動させられる。このとき第２窓枠２ＷＦは約９０度開動作させられる。そして、ピボット４０を中心にして複合積層体ＣＬは左右位置を維持したまま上下方向に反転動作させられる。反転後、所定の手段によって複合積層体ＣＬが第２窓枠２ＷＦに対してロックされる。その後、第２窓枠２ＷＦは第１窓枠１ＷＦに対して閉じるように回動させられる。閉じられた第２窓枠２ＷＦは第１窓枠１ＷＦに対して所定の手段によってロックされる。
【００５２】
以上のように、室外側に固定ガラスＦＧを有する窓体２であっても、上下反転可能となっている。
【００５３】
ここで、潜熱蓄熱材６０は、凝固と融解とを繰り返すことで沈殿物が発生して、蓄熱量の低下を招く傾向にある。ところが、図６及び図７に示すように、上下方向へ反転させるピボット４０を備えるため、上下反転時に沈殿物を砕くことができ、蓄熱量の回復を図ることができる。
【００５４】
次に、第２実施形態に係る窓体２の動作を説明する。まず、図５に示すように、他方の積層体Ｌ２の一方の板材１０ａが室内側となり、一方の積層体Ｌ１の他方の板材１０ｂが室外側になっているものとする。
【００５５】
この場合において、例えば室温が２１℃以上になると、貯留部Ｒｅｓの作動液ＨＦが蒸発する。蒸発した作動液ＨＦは室外側の他方の板材１０ｂに到達して液化し、他方の板材１０ｂの内面を流下する。流下した作動液ＨＦはスロープ３０の上板３２を介して再度貯留部Ｒｅｓに戻る。この過程において、一方の板材１０ａは作動液ＨＦの蒸発による蒸発熱によって冷却され、他方の板材１０ｂからは作動液ＨＦの凝縮熱が破棄される。破棄された熱は潜熱蓄熱材６０によって蓄えられる。よって、室内側の熱を潜熱蓄熱材６０に移行させて、室内を冷却する冷房効果を得ることができる。
【００５６】
なお、一方の積層体Ｌ１については、外気温が２１℃以下となると、上記と同様にして、作動液ＨＦが蒸発と凝縮とを繰り返すこととなり、潜熱蓄熱材６０に蓄えられた熱が外気に破棄される。
【００５７】
さらに、図３又は図４に示すようなピボット４０を利用して、一方の積層体Ｌ１と他方の積層体Ｌ２との上下位置を維持したまま左右方向への反転により相対位置を入れ替えた場合には、上記と動作が逆になり、冬場等において暖房効果を得ることができる。
【００５８】
加えて、図６及び図７に示すようにピボット４０を利用して、一方の積層体Ｌ１と他方の積層体Ｌ２との左右位置を維持したまま上下方向への反転により相対位置を入れ替えた場合には、潜熱蓄熱材６０の沈殿物を砕く効果があり、蓄熱量を回復させることとなる。
【００５９】
このようにして、第２実施形態に係る窓体２によれば、第１実施形態と同様に、電気エネルギーを要しないで、湿気を流出入させることなく室外気温を利用することができる。さらに、潜熱蓄熱材６０を透明性のものとすれば、窓にも適用することができる。
【００６０】
さらに、第２実施形態によれば、２つの積層体Ｌの間の空間に、特定温度範囲に融点及び凝固点を有する潜熱蓄熱材６０を備えるため、例えば、例えば室温よりも外気温の方が高くなる場合であっても室温が特定温度範囲以上であれば室内の熱を潜熱蓄熱材６０に移送し、夜間など特定温度範囲よりも室外が涼しくなるときに潜熱蓄熱材６０の熱を外気に放出することができる。このように、潜熱蓄熱材６０をバッファとして有することで、室内の快適化を行う頻度を高めることができる。
【００６１】
また、複数の積層体Ｌのうち、積層方向の一方側のものと他方側のものとの相対位置を入れ替える反転動作可能なピボット４０を備えるため、上下位置を維持したまま左右方向に反転させた場合には、夏場と冬場や昼間と夜間など、熱貫流させる方向を変えたいときに積層体Ｌの相対位置を入れ替えて、冷暖房を選択することができる。また、左右位置を維持したまま上下方向に反転させた場合には、潜熱蓄熱材６０の上下位置を反転させることとなり、特定成分が沈殿することによる蓄熱効果の低減を抑えることができる。
【００６２】
次に、本発明に係る第３実施形態を説明する。第３実施形態に係る窓体は第１実施形態のものと同様であるが、一部構成が異なっている。以下、第１実施形態との相違点について説明する。
【００６３】
図８は、第３実施形態に係る窓体を示す構成図である。図８に示す窓体（複合構造体）３は、積層体Ｌの室外側に上部から積層体Ｌに対して霧状に液体（水）を噴霧する噴霧部（噴霧手段）７０を更に備えている。この噴霧部７０は、他方の板材１０ｂが室外側となる場合に他方の板材１０ｂに対して霧状に水分を噴霧することで室内側に冷房効果をもたらすようになっている。
【００６４】
ここで、他方の板材１０ｂが室外側であるときに、室外側から霧を噴霧すれば外気温が高い場合でも露点近くまで他方の板材１０ｂを下げようとする効果がある。この結果、疑似的に外気温が低くなったときと同様の状態を作り出し、室内側に冷房効果をもたらすことができる。
【００６５】
なお、他方の板材１０ｂが室外側となる場合とは、例えば他方の板材１０ｂが室外側となるように固定設置されている場合であってもよいし、上記の反転機構を利用して他方の板材１０ｂが室外側となっているタイミングであってもよい。
【００６６】
このようにして、第３実施形態に係る窓体３によれば、第１実施形態と同様に、電気エネルギーを要しないで、湿気を流出入させることなく室外気温を利用することができる。さらに、各部を透明性のものとすれば、窓にも適用することができる。
【００６７】
さらに、第３実施形態によれば、室外側に噴霧部７０を備えるため、他方の板材１０ｂが室外側となるときに霧状に液体を噴霧することで、外気温が高い場合であっても、室内側に冷房効果をもたらすことができる。
【００６８】
次に、本発明に係る第４実施形態を説明する。第４実施形態に係る窓体は第１実施形態のものと同様であるが、一部構成が異なっている。以下、第１実施形態との相違点について説明する。
【００６９】
図９は、第４実施形態に係る窓体を示す構成図である。図９に示すように、第４実施形態に係る窓体４は、第１実施形態のものと同様に、概略的に２枚の板材１０と、真空封止部材２０と、スロープ３０と、作動液（液体）ＨＦとを備えているが、スロープ３０の構造が第１実施形態のものと異なっている。さらに、第４実施形態に係る窓体４は、ピボット４０等の反転機構を備えておらず、代わりにスロープ３０を動作させる動作機構９０を備えている。以下、詳細に説明する。
【００７０】
図９に示すように、第４実施形態に係るスロープ３０は断面視して中空の略菱形部材（略菱形筒）となっている。この略菱形となるスロープ３０の内部には作動液ＨＦが封入された状態となっている。
【００７１】
動作機構９０は、第４実施形態に係るスロープ３０を動作させるものであって、上プーリ９１と、下プーリ９２と、ラダーコード９３と、内部磁石９４と、外部磁石９５とを備えている。上プーリ９１及び下プーリ９２は、それぞれ窓体４の上部側と下部側とに設けられた滑車部材である。ラダーコード９３は、上プーリ９１及び下プーリ９２に対して巻き回された無端状の紐部材である。このラダーコード９３は、スロープ３０の両側（第１板材１０ａ側及び第２板材１０ｂ側の双方）に接続された状態となっている。なお、接続は適宜の手段で行われる。
【００７２】
内部磁石９４は、２枚の板材１０と真空封止部材２０とによって形成される内部空間に配置される磁石部材であって、ラダーコード９３に接続されている。外部磁石９５は、一方の板材１０ａを介して内部磁石９４と引き合っている。内部磁石９４及び外部磁石９５は例えばネオジム磁石等の強力磁石で構成されている。
【００７３】
なお、図９に示す窓体４は、２枚の板材１０の間に外圧に耐えるためのピラー１００についても備えている。
【００７４】
ここで、スロープ３０は、図９に示す状態において菱形上部が他方の板材１０ｂ側（室外側）に傾いている。この結果、図９に示すように、スロープ３０は、他方の板材１０ｂ側から一方の板材１０ａ側に下る傾斜状態となり、一方の板材１０ａ側に貯留部Ｒｅｓを形成する。この状態を第１状態という。
【００７５】
また、第１状態においてスロープ３０は、菱形下辺の１つが一方の板材１０ａに接触すると共に菱形上辺の１つが他方の板材１０ｂに接触することで、真空層に遮られることなく２枚の板材１０と熱伝導し易くなっている。よって、貯留部Ｒｅｓ内の作動液ＨＦは、一方の板材１０ａ側の熱によって蒸発可能となり、蒸発時には他方の板材１０ｂ側に到達して凝縮した後に、再度貯留部Ｒｅｓに戻ることとなる。
【００７６】
図１０は、図９に示した動作機構９０による動作の様子を示す動作図であって、（ａ）は中立状態を示し、（ｂ）は第２状態を示している。図９を参照して説明したように、外部磁石９５はラダーコード９３に接続される内部磁石９４と引き合っている。このため、ユーザが外部磁石９５を操作するとラダーコード９３を動かすことができる。また、ラダーコード９３がスロープ３０の両側に接続されていることから、スロープ３０を図９に示す状態から回動させることができる。
【００７７】
これにより、図１０（ａ）に示す中立状態とすることができる。中立状態においてスロープ３０は略菱形の上下辺が２枚の板材１０から離間した状態となっており、２枚の板材１０のうちの中央側で貯留部Ｒｅｓを形成する。このため、２枚の板材１０の外部からの熱によって作動液ＨＦは蒸発しないこととなる。これにより、第４実施形態に係る窓体４は断熱窓として利用されることとなる。
【００７８】
さらに、スロープ３０を図９に示す状態から回動させることで、図１０（ｂ）に示す第２状態とすることができる。第２状態においてスロープ３０は、菱形上辺の１つが一方の板材１０ａに接触すると共に菱形下辺の１つが他方の板材１０ｂに接触することで、真空層に遮られることなく２枚の板材１０と熱伝導し易くなっている。よって、貯留部Ｒｅｓ内の作動液ＨＦは、他方の板材１０ｂ側の熱によって蒸発可能となり、蒸発時には一方の板材１０ａ側に到達して凝縮した後に、再度貯留部Ｒｅｓに戻ることとなる。
【００７９】
なお、第４実施形態に係る窓体４の動作は第１実施形態と同様である。すなわち、スロープ３０が第１状態である場合、図１に示す場合と同様にして、室内側から室外側へ熱貫流させることができる。また、スロープ３０が第２状態である場合、室外側から室内側へ熱貫流させることができる。加えて、第４実施形態に係る窓体４では、スロープ３０が中立状態である場合、熱貫流をさせることなく断熱効果を発揮することができる。
【００８０】
なお、第４実施形態においてスロープ３０は第１状態、中立状態及び第２状態で切り替えられるが、これに限らず、上記３つの状態のうち、いずれか２つの状態で切替可能とされていてもよい。
【００８１】
このようにして、第４実施形態に係る窓体４によれば、第１実施形態と同様に、電気エネルギーを要しないで、湿気を流出入させることなく室外気温を利用することができる。さらに、潜熱蓄熱材６０を透明性のものとすれば、窓にも適用することができる。
【００８２】
さらに、第４実施形態によれば、スロープ３０は第１状態と中立状態と第２状態とのうち少なくとも２つで切替可能とされているため、夏場と冬場や昼間と夜間など、熱貫流させる方向を変えたいときや断熱効果を得たいときに、スロープ３０の状態を制御して適切に冷房効果、暖房効果及び断熱効果のうち少なくとも２つを得ることができる。
【００８３】
なお、第４実施形態においては第３実施形態と同様に噴霧部７０を備えていてもよい。ここで、第３実施形態においては常に一方の板材１０ａ側が冷却側となり他方の板材１０ｂ側が加温側となるため、噴霧部７０は他方の板材１０ｂ側に霧状に液体（水）を噴霧していた。しかし、第４実施形態においては、２枚の板材１０の冷却側と加温側とが入れ替わるため、２枚の板材１０の双方の面に対して霧状に液体（水）を噴霧可能に複数の噴霧部７０を備えることが好ましい。
【００８４】
さらに、第４実施形態に係る窓体４は反転されることがない構成を想定しているが、これに限らず、反転可能に構成されていてもよい。
【００８５】
次に、本発明に係る第５実施形態を説明する。第５実施形態に係る窓体は第２実施形態のものと同様であるが、一部構成が異なっている。以下、第２実施形態との相違点について説明する。
【００８６】
図１１は、第５実施形態に係る窓体を示す構成図である。図１１に示すように、第５実施形態に係る窓体５は、第２実施形態のものと同様であり、第４実施形態に示した窓体４からなる積層体Ｌを２つ（複数の一例）備え、２つの積層体Ｌの間に封止部材５０を備えると共に、これらで挟まれる空間に透明性の潜熱蓄熱材６０を有した目の字断面材８０を備えている。第５実施形態に係る窓体５においても反転されることがない構成を想定しているが、これに限らず、反転可能（上下及び左右反転可能）に構成されていてもよい。
【００８７】
なお、内部磁石９４と外部磁石９５とは他方の積層体Ｌ２のみに設けられており、一方の積層体Ｌ１と他方の積層体Ｌ２とは、上プーリ９１同士及び下プーリ９２同士が連結コードＣＣにより連結されており、それぞれの上プーリ９１及び下プーリ９２は同期して回転可能となっている。よって、他方の積層体Ｌ２に設けられる外部磁石９５を操作することで、それぞれの積層体Ｌ１，Ｌ２のスロープ３０を第１状態、中立状態及び第２状態で切り替えることができる。
【００８８】
加えて、第５実施形態に係るスロープ３０は、それぞれが磁石（磁性素材）Ｍを備えている。一方の積層体Ｌ１のスロープ３０は、菱形下辺のうち潜熱蓄熱材６０側の辺に磁石Ｍを備えている。他方の積層体Ｌ２のスロープ３０は、菱形上辺のうち潜熱蓄熱材６０側の辺に磁石Ｍを備えている。
【００８９】
さらに、第５実施形態において潜熱蓄熱材６０は、磁性を有して分散する成分を凝固点降下剤として有している。なお、ここでの凝固点降下剤には、例えば特開２００７−１３１６０８号公報に記載の、アニオンとしてテトラクロロジスプロサートを持つ水溶性の磁性イオン液体、１−ブチル−３−メチルイミダゾリウムテトラクロロジスプロサートが挙げられる。このような水溶性のイオン液体は水中では電離したイオンとして分散しながらもアニオン（ＤｙＣｌ４−）、カチオン（ＢＭＩＭ＋）が互いに近傍にある状態を保つと考えられるが、便宜上、以下では磁性を持つＤｙＣｌ４−について記述する。
【００９０】
図１２は、図１１に示した動作機構９０による動作の様子を示す動作図であって、スロープ３０が第２状態となる場合を示している。図１１を参照して説明したように、各積層体Ｌのスロープ３０は、第１状態、中立状態及び第２状態で切替可能である。
【００９１】
特に、スロープ３０が第２状態となった場合、磁石Ｍが潜熱蓄熱材６０に近接して潜熱蓄熱材６０の磁性を有した成分を吸着する。すなわち、四塩化ジスプロシウムイオン（ＤｙＣｌ４−）が磁石Ｍに引き付けられて磁石Ｍ付近に集中した状態となる。この結果、磁石Ｍ付近を除く部分において凝固点降下剤の濃度が低くなる。よって、潜熱蓄熱材６０の凝固点を例えば２６℃程度の高めにすることができ、窓体５を冬場用として機能させることができる。
【００９２】
一方、図示を省略するが、スロープ３０が第１状態となった場合、磁石Ｍが潜熱蓄熱材６０から離間して磁性を有した成分を吸着させない。このため、四塩化ジスプロシウムイオン（ＤｙＣｌ４−）は潜熱蓄熱材６０内で分散した状態となる。これにより、凝固点降下剤を通常通りに作用させ、潜熱蓄熱材６０の凝固点を例えば１８℃程度の低めにすることができ、窓体５を夏場用として機能させることができる。
【００９３】
次に、第５実施形態に係る窓体５の動作を説明する。第５実施形態に係る窓体５は、第２実施形態と同様である。すなわち、スロープ３０が第１状態である場合、図５に示す場合と同様にして、室内側から室外側へ熱貫流させることができる。また、スロープ３０が第２状態である場合、室外側から室内側へ熱貫流させることができる。
【００９４】
さらに、第５実施形態に係る窓体５は、第２実施形態と同様に、潜熱蓄熱材６０をバッファとして機能させることができ、例えば図１１に示す状態において外気温の方が高くても室温が例えば潜熱蓄熱材６０の温度以上であれば、潜熱蓄熱材６０を利用して冷房効果を得ることができる。同様に、図１２に示す状態において外気温の方が低くても室温が例えば潜熱蓄熱材６０の温度未満であれば、潜熱蓄熱材６０を利用して暖房効果を得ることができる。
【００９５】
加えて、スロープ３０が第２状態となる場合には、四塩化ジスプロシウムイオン（ＤｙＣｌ４−）が磁石Ｍに引き付けられ、磁石Ｍ付近を除く部分において凝固点降下剤の濃度を低くする。よって、潜熱蓄熱材６０の凝固点を例えば２６℃程度の高めにすることとなる。一方、スロープ３０が第１状態となる場合には、四塩化ジスプロシウムイオン（ＤｙＣｌ４−）は磁石Ｍに引き付けられず、凝固点降下剤を通常通りに作用させる。よって、潜熱蓄熱材６０の凝固点を例えば１８℃程度の低めにすることとなる。
【００９６】
なお、第５実施形態においてスロープ３０は第１状態、中立状態及び第２状態で切り替えられるが、これに限らず、上記第１状態と第２状態とで切替可能とされていてもよい。
【００９７】
このようにして、第５実施形態に係る窓体５によれば、第２実施形態と同様に、電気エネルギーを要しないで、湿気を流出入させることなく室外気温を利用することができる。さらに、潜熱蓄熱材６０を透明性のものとすれば、窓にも適用することができる。また、潜熱蓄熱材６０をバッファとして有することで、室内の快適化を行う頻度を高めることができる。加えて、第４実施形態と同様に、スロープ３０の状態を制御して適切に冷房効果、暖房効果及び断熱効果のうち少なくとも２つを得ることができる。
【００９８】
さらに、第５実施形態によれば、磁石Ｍは、第２状態において潜熱蓄熱材６０に近接して潜熱蓄熱材６０の磁性を有する成分を吸着し、第１状態において潜熱蓄熱材６０から離間して磁性を有する成分を吸着させず当該成分を潜熱蓄熱材６０内で分散させる。このため、磁石Ｍに当該成分を吸着させた場合と吸着させない場合とで、成分調整を行って潜熱蓄熱材６０の融点及び凝固点を変化させることができる。これにより、例えば夏場には潜熱蓄熱材６０の融点及び凝固点を低下させて夏場に適したものとでき、冬場には潜熱蓄熱材６０の融点及び凝固点を上昇させて冬場に適したものとすることができる。
【００９９】
次に、本発明に係る第６実施形態を説明する。第６実施形態に係る窓体は第４実施形態のものと同様であるが、一部構成が異なっている。以下、第４実施形態との相違点について説明する。
【０１００】
図１３は、第６実施形態に係る窓体の一部を示す構成図であり、（ａ）はスロープ３０の中立状態を示し、（ｂ）はスロープ３０の第１状態を示している。なお、図１３では説明の便宜上、一部構成の図示を省略している。図１３（ａ）及び（ｂ）に示す窓体６は、ユーザ操作によって動作機構９０が動作するものではなく、周囲温度の変化に応じて動作機構９０が動作するようになっている。
【０１０１】
具体的に第６実施形態に係る動作機構９０は、上プーリ９１及びラダーコード（コード部材）９３に加えて、ウェイトＷと、形状記憶バネ９７と、グリスケース９８と、伝熱グリスＧとを備え、下プーリ９２や磁石９４，９５を備えない構造となっている。
【０１０２】
第６実施形態においてラダーコード９３は上プーリ９１に掛け回されており、下側に位置するラダーコード９３の両端には重りとなるウェイトＷが取り付けられている。なお、ラダーコード９３は、第４実施形態と同様に、各スロープ３０に取り付けられている。
【０１０３】
形状記憶バネ９７は、後述する室温（周囲温度）に応じて伸縮可能な部材である。この形状記憶バネ９７は、ラダーコード９３の間に介在されており、グリスケース９８内に収納されている。また、グリスケース９８の内部は伝熱グリスＧが充填されている。更に図示を省略するが、グリスケース９８は一方の板材１０ａに接触して設けられている。
【０１０４】
次に、第６実施形態に窓体６の動作を説明する。まず、室温が中程度であるとする。この場合、図１３（ａ）に示すように形状記憶バネ９７は緊張状態でも弛緩状態でもない中間状態となる。すなわち、中程度の室温が第１板材１０ａ、グリスケース９８、及び伝熱グリスＧを介して形状記憶バネ９７に伝わることにより、形状記憶バネ９７は緊張状態でも弛緩状態でもない中間状態となる。この場合、スロープ３０は、菱形の上下辺が２枚の板材１０に接触することなく、２枚の板材１０から離間した状態となる。すなわち、室温が中程度であり快適温度帯であるときには窓体６は断熱窓として機能する。
【０１０５】
また、室温が高めであると、図１３（ｂ）に示すように形状記憶バネ９７は緊張状態となる。すなわち、高めの室温が第１板材１０ａ、グリスケース９８、及び伝熱グリスＧを介して形状記憶バネ９７に伝わることにより、形状記憶バネ９７は緊張状態となる。この場合、ラダーコード９３が動作して、スロープ３０は第１状態に切り替えられる。よって、一方の板材１０ａ側から他方の板材１０ｂ側へ熱貫流させる状態となり、室内を冷却する冷房効果をもたらすことができる。
【０１０６】
なお、図示を省略するが室温が低めであると、形状記憶バネ９７は弛緩状態となる。この場合もラダーコード９３が動作して、スロープ３０は第２状態に切り替えられる。よって、他方の板材１０ｂ側から一方の板材１０ａ側へ熱貫流させる状態となり、室内を加温する暖房効果をもたらすことができる。このような、弛緩状態、中間状態、緊張状態の３状態となる形状記憶合金バネは、形状回復温度の異なるバネを直列につなぐことで実現できる。
【０１０７】
また、第６実施形態に係るスロープ３０についても第１状態、中立状態及び第２状態で切り替えられるが、これに限らず、上記３つの状態のうち、いずれか２つの状態で切替可能とされていてもよい。
【０１０８】
このようにして、第６実施形態に係る窓体６によれば、第４実施形態と同様に、電気エネルギーを要しないで、湿気を流出入させることなく室外気温を利用することができる。さらに、潜熱蓄熱材６０を透明性のものとすれば、窓にも適用することができる。また、スロープ３０の状態を制御して適切に冷房効果、暖房効果及び断熱効果のうち少なくとも２つを得ることができる。
【０１０９】
さらに、第６実施形態によれば、周囲温度の変化に応じた形状記憶バネ９７の伸縮によってラダーコード９３が動作して、スロープ３０が切り替えられるため、ユーザの操作が無く、その都度冷暖房等が選択されて、室内環境に応じた設定を可能とすることができる。
【０１１０】
なお、第６実施形態に係る動作機構９０は第４実施形態のみならず、第５実施形態に適用可能であることはいうまでもない。
【０１１１】
以上、実施形態に基づき本発明を説明したが、本発明は上記実施形態に限られるものではなく、本発明の趣旨を逸脱しない範囲で、変更を加えてもよいし、可能な範囲で適宜実施形態同士の技術を組み合わせてもよい。さらに、可能な範囲で公知又は周知の技術を組み合わせてもよい。
【０１１２】
例えば、本実施形態において２枚の板材１０、作動液ＨＦ、スロープ３０、及び潜熱蓄熱材６０等については、透明性である旨を説明したが、透明性とは無色透明に限らず、有色の透明性であってもよい。
【０１１３】
また、第２実施形態においては、積層体Ｌを２つ重ねる構造としたが、２つに限らず、３つ以上の積層体Ｌが重ねられると共に、それぞれの間に潜熱蓄熱材６０が配置されるようになっていてもよく、１つの積層体Ｌと１つの潜熱蓄熱材６０とが積層配置されていてもよいし、１つの積層体Ｌが２つの潜熱蓄熱材６０に挟まれていてもよい。
【０１１４】
さらに、第２実施形態においては例えば図４と図７に示した反転構造を組み合わせることで、上下及び左右の双方に反転可能とされていてもよい。
【０１１５】
加えて、第３実施形態においては、積層体Ｌに対して霧を噴霧しているが、これに限らず、図５に示す窓体２に対して霧を噴霧するようになっていてもよい。さらには、他方の板材１０ｂが室内側となる冬季において、室内側から積層体Ｌに対して霧を噴霧するようにして、室内の加湿を兼ねながら室外気温を利用するようにしてもよい。
【０１１６】
また、第２実施形態においては潜熱蓄熱材６０を保持する目の字断面材８０等を備えているが、単に２つの積層体Ｌと封止部材５０とで挟まれる空間に潜熱蓄熱材６０が充填される構造であってもよい。この場合、一方の積層体Ｌ１の一方の板材１０ａと、他方の積層体Ｌ２の他方の板材１０ｂとが潜熱蓄熱材６０を保持する保持板材としての機能も兼用することとなる。
【０１１７】
また、第５実施形態では第２状態において磁石Ｍが潜熱蓄熱材６０に近接するが、これに限らず、第１状態で磁石Ｍが潜熱蓄熱材６０に近接するようになっていてもよい。さらに、第５実施形態では磁性を有した成分の一例として凝固点降下剤の四塩化ジスプロシウムイオン（ＤｙＣｌ４−）を磁石Ｍに引き付けるが、特に凝固点降下剤に限らず、可能であれば潜熱蓄熱材６０の成分を磁石Ｍに引き付けるようにしてもよい。
【０１１８】
また、上記において潜熱蓄熱材６０の成分（磁性を有した成分）は、潜熱を発生する成分や、融点・凝固点調整剤だけではなく、例えば分散剤や核形成剤等であってもよい。
【符号の説明】
【０１１９】
１，３，４，６：窓体（構造体）
２，５        ：窓体（複合構造体）
１０          ：２枚の板材
１０ａ        ：一方の板材
１０ｂ        ：他方の板材
３０          ：スロープ
４０          ：ピボット（反転機構）
６０          ：潜熱蓄熱材
７０          ：噴霧部（噴霧手段）
８０          ：目の字断面材（保持板材）
９３          ：ラダーコード（コード部材）
９７          ：形状記憶バネ
ＣＬ          ：複合積層体
ＨＦ          ：作動液（液体）
Ｌ，Ｌ１，Ｌ２：積層体
Ｍ            ：磁石（磁性素材）
Ｒｅｓ        ：貯留部
【図１】
2019112886.tif 000003
【図２】
2019112886.tif 000004
【図３】
2019112886.tif 000005
【図４】
2019112886.tif 000006
【図５】
2019112886.tif 000007
【図６】
2019112886.tif 000008
【図７】
2019112886.tif 000009
【図８】
2019112886.tif 000010
【図９】
2019112886.tif 000011
【図１０】
2019112886.tif 000012
【図１１】
2019112886.tif 000013
【図１２】
2019112886.tif 000014
【図１３】
2019112886.tif 000015